(57)【特許請求の範囲】
【請求項１】
動画像情報が複数のフレームデータからなるフレーム群毎に符号化されて生成されたデジタル画像情報を復号化し、前記動画像情報を出力する動画像復号化装置（１００）において、
符号化された前記デジタル画像情報を前記フレーム群毎に記憶するメモリ手段（１３）と、
前記メモリ手段（１３）にメモリされた前記デジタル画像情報を前記フレーム群毎に読出し、自己のフレームデータ、または、前記フレーム群内の他のフレームデータの少なくとも何れか一方のデータに基づいて符号化された一のフレームデータを復号化することによって前記デジタル画像情報を前記動画像情報に復号化する復号化手段（９）と、
前記メモリ手段（１３）及び前記復号化手段（９）を制御すると共に、表示用バッファメモリ（１２）に出力タイミング信号を供給する制御手段（１０）と、
前記復号化手段から出力された動画像情報をメモリし、前記出力タイミング信号に基づいて該メモリした動画像情報を出力する前記表示用バッファメモリ（１２）と、を備え、
前記制御手段（１０）は、特殊再生が指定された場合に、
前記復号化手段（９）に、符号化された一のフレームデータを復号化する毎に、前記メモリ手段（１３）にメモリされ、当該復号化の対象となる一のフレームデータが属するフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータを復号化させ、当該復号化手段（９）で復号化された該次に出力すべき動画情報のみを前記表示用バッファメモリ（１２）に出力させること、を特徴とする動画像復号化装置。
【請求項２】
請求項１の動画像復号化装置において、
前記制御手段（１０）は、特殊再生として逆順再生が指定された場合に、前記復号化手段（９）に、一のフレームデータを符号化する毎に、前記メモリ手段（１３）にメモリされ、当該復号化の対象となる一のフレームデータが属するフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータを復号化させて当該復号化手段（９）で復号化された該次に出力すべき動画情報のみを前記表示用バッファメモリ（１２）に出力させ、
前記表示用バッファメモリ（１２）に対し一定間隔を有する前記出力タイミング信号を供給すること、を特徴とする動画像復号化装置。
【請求項３】
請求項１又は請求項２記載の動画像復号化装置において、
前記復号化手段（９）は、前記特殊再生された場合であって、読み出された各フレームデータに基づいて該次に出力すべき一のフレームデータを復号化させる場合に、前記次に出力すべき動画情報のデジタル画像情報の復号化に用いない前記デジタル画像情報の復号動作を省略すること、を特徴とする動画像復号化装置。
【発明の詳細な説明】
【０００１】
【産業上の利用分野】
本発明は、最近提案されたデジタル動画画像を扱う蓄積用動画符号化方式を採用した復号化装置に係り、特に逆順再生等の特殊再生を行う復号化再生の技術に関する。
【０００２】
【従来の技術】
近年、マルチメディア技術の進展とともにデジタル動画像の圧縮・伸張方式が種々提案されている。これらの圧縮されたデジタル動画像の伸張（復元・復号すること）動作は、複数の原画像のフレームに対して、データの補間演算を行い、画像の動きを予測して新たな予測画像を作り出すことで、根本的に少ない原画像の情報を補おうというものである。特に、ＩＳＯ−ＩＥＣ／ＪＴＣ１／ＳＣ２／ＷＧ１１にて議論された蓄積メディア動画像符号化の国際標準化会議であるＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ  ）で提案された方式（以下、ＭＰＥＧ方式）は、正順再生やランダムアクセス、逆順再生等の特殊再生をも考慮して企画化されている。
【０００３】
一般に、連続した画像において、現在注目している一枚の画像と前後にある画像とは、類似している。動画像符号化技術はこの点に着目して、原画像の間に存在する画像を補間演算にて求める。ＭＰＥＧ方式も、この補間方法に係るものである。以下、デジタル動画像の圧縮・伸張方式としてＭＰＥＧ方式を代表例にとって解説する。
【０００４】
従来の蓄積メディア動画像符号化の復号化装置を図５に示す。
これら符号化技術のメディアとしては、ＣＤ−ＲＯＭ等のランダムアクセスが可能なメディアが用いられる。図５に示すように、ＣＤ１は、スピンドルモータ２により回転する。このスピンドルモータ２は、システムのＣＤ−ＲＯＭ及びＭＰＥＧの制御を統括するマイコン（以下、単にマイコンという。）１０の指示を受けるシステム制御回路６の制御で、サーボ制御回路５が直接駆動する。ピックアップ３で読み取られたＲＦ信号は、ＥＦＭ復調回路４でＥＦＭ復調されデータパリティ出力となり制御ブロック７に入力される。制御ブロック７は、このデータパリティ出力を誤り訂正等のデジタル信号処理を行い、ＣＤ−ＲＯＭ復調回路８に入力し、データ圧縮された状態のデジタルの画像及び音声信号となる。次いで、ＭＰＥＧ復号回路９にてデータ補間等のデジタル信号処理が行われた後、新たな予測画像が表示用バッファメモリ１２に蓄積される。最後に、Ｄ／Ａ変換器１１により画像信号及び音声信号別にＤ／Ａ変換されアナログ信号として出力される。
【０００５】
ＭＰＥＧ方式によるデータ構造は、階層構造になっており、上位より、ビデオシーケンス層、単体で独立再生が可能なＧＯＰ（Ｇｒｏｕｐ  Ｏｆ  Ｐｉｃｔｕｒｅ）層、輝度・色差画像情報を含めまとまった予測画像をなすピクチャ層、走査順のスライス層、左右及び上下の輝度、色差ブロックよりなるマクロブロック層、輝度又は色差の隣あった８ライン×８画素から構成されるブロック層からなる。
【０００６】
ＣＤ１から読出された圧縮画像からは、ＭＰＥＧ復号回路９が周期的な間隔をおいたフレーム間で、動き補償予測をＭＣ（Ｍｏｔｉｏｎ  Ｃｏｎｐｅｎｓａｔｉｏｎ  ：動き補償）及びＤＣＴ（Ｄｉｓｃｒｅｔｅ  Ｃｏｓｉｎｅ  Ｔｒａｎｓｆｏｒｍ  ）を用いて行い、予測画像を生成する。これら復号化装置により、ＧＯＰ層単位で正順に復号化された画像は、一旦表示用バッファメモリ１２に格納され、更に出力される。
【０００７】
予測画像の概念を示すため、ＭＰＥＧのビットストリームのピクチャ概念（画像間予測図）を図６に示す。図６において、各フレームは一の画像を示し、データ構造における一のピクチャ層に相当する。Ｉは、Ｉピクチャ（Ｉｎｔｒａ−ｃｏｄｅｄ  ｐｉｃｔｕｒｅ  ：イントラ符号化画像）といい、自分自身の画像のみで画像を再構築できるものである。Ｐは、Ｐピクチャ（Ｐｒｅｄｉｃｔｉｖｅ−ｃｏｄｅｄ  ｐｉｃｔｕｒｅ：前方予測符号化画像）といい、既に復号化されたＩピクチャ又は他のＰピクチャを用い、補償された予測画像との差を復号化等して作り出す予測画像である。Ｂは、Ｂピクチャ（Ｂｉｄｉｒｅｃｔｉｏｎａｌｌｙ  ｐｒｅｄｉｃｔｉｖｅ−ｃｏｄｅｄ  ｐｉｃｔｕｒｅ：両方向予測符号化画像）といい、既に復号化されたＩピクチャ又はＰピクチャのみでなく、未来のＩピクチャ又はＰピクチャをも予測に用いて作り出す予測画像である。
【０００８】
図６の一連の画像は、ＧＯＰ層を形成する。図６に示した番号の順番で画像が復号化され、最後にＢピクチャが復号化される。
これらの技術としては、特願平５−１７６６９４号等が存在する。
【０００９】
従来、これら復号化装置において逆順再生をする際、表示用バッファメモリ１２等に格納された予測画像を逆の順序で再生して表示していた。
【００１０】
【発明が解決しようとする課題】
しかしながら、上記従来の動画像復号化装置において逆順再生を行うには、高価な大量の表示用バッファメモリを必要とするという不都合があった。
【００１１】
すなわち、一のＩピクチャから次のＩピクチャまでのＧＯＰ単位で複数の予測画像が生成される。逆順再生の場合は、すべてのフレーム復元画像を表示用バッファメモリに蓄えた後に、順次遡って１フレームずつ逆順に再生を行っていたため、復元された非圧縮のフレームを、何フレームにも亘って記憶する膨大な表示用バッファメモリを必要としたのである。このスローリバース（通常速度以下の逆順再生）を実現するためには、少なくとも１５フレーム程度のフレームメモリが必要とされていた。つまり、１フレームには２Ｍｂｉｔ程度のメモリ必要なので、１５フレームで３０Ｍｂｉｔという膨大な表示用バッファメモリが必要であり、現実的な価格で逆順再生は不可能とされていたのである。
【００１２】
また、ＧＯＰ単位の全てのフレームを記憶するには、記憶処理のための時間が多く必要とされる。そのため、ランダムアクセス、高速再生、逆順再生等の特殊再生を身上とするこのようなデジタル動画像圧縮・伸張技術では、応答速度が遅いというのは、好ましいこととはいえない。
【００１３】
上記問題点に鑑み、本発明の目的は、表示用バッファメモリを消費することなく、短時間に逆順再生を可能とする動画像符号化装置を提供することにある。
【００１４】
【課題を解決するための手段】
上記目的を達成するために、請求項１記載の発明は、動画像情報が複数のフレームデータからなるフレーム群毎に符号化されて生成されたデジタル画像情報を復号化し、前記動画像情報を出力する動画像復号化装置（１００）において、符号化された前記デジタル画像情報を前記フレーム群毎に記憶するメモリ手段（１３）と、前記メモリ手段（１３）にメモリされた前記デジタル画像情報を前記フレーム群毎に読出し、自己のフレームデータ、または、前記フレーム群内の他のフレームデータの少なくとも何れか一方のデータに基づいて符号化された一のフレームデータを復号化することによって前記デジタル画像情報を前記動画像情報に復号化する復号化手段（９）と、前記メモリ手段（１３）及び前記復号化手段（９）を制御すると共に、表示用バッファメモリ（１２）に出力タイミング信号を供給する制御手段（１０）と、前記復号化手段から出力された動画像情報をメモリし、前記出力タイミング信号に基づいて該メモリした動画像情報を出力する前記表示用バッファメモリ（１２）と、を備え、前記制御手段（１０）は、特殊再生が指定された場合に、前記復号化手段（９）に、符号化された一のフレームデータを復号化する毎に、前記メモリ手段（１３）にメモリされ、当該復号化の対象となる一のフレームデータが属するフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータを復号化させ、当該復号化手段（９）で復号化された該次に出力すべき動画情報のみを前記表示用バッファメモリ（１２）に出力させること、を特徴とする。
【００１５】
また、請求項２記載の発明は、請求項１の動画像復号化装置において、前記制御手段（１０）は、特殊再生として逆順再生が指定された場合に、前記復号化手段（９）に、一のフレームデータを符号化する毎に、前記メモリ手段（１３）にメモリされ、当該復号化の対象となる一のフレームデータが属するフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータを復号化させて当該復号化手段（９）で復号化された該次に出力すべき動画情報のみを前記表示用バッファメモリ（１２）に出力させ、前記表示用バッファメモリ（１２）に対し一定間隔を有する前記出力タイミング信号を供給すること、を特徴とする。
【００１６】
また、請求項３記載の発明は、請求項１又は請求項２記載の動画像復号化装置において、前記復号化手段（９）は、特殊再生が指定された場合であって、読み出された各フレームデータに基づいて該次に出力すべき一のフレームデータを復号化させる場合に、前記次に出力すべき動画情報のデジタル画像情報の復号化に用いない前記デジタル画像情報の復号動作を省略すること、を特徴とする。
【００１７】
【作用】
請求項１記載の発明によれば、記録媒体等のデジタル画像情報源から復調されたデジタル画像情報は、圧縮された状態のデジタル画像情報である。メモリ手段（１３）は、このデジタル画像情報を複数のフレームデータからなるフレーム群毎に記憶し、制御手段（１０）の制御に応じてデジタル画像情報を出力する。復号化手段（９）は、このメモリ手段（１３）より各フレーム群毎に各フレームデータを読出し、時間的に前後するフレームデータから予測画像情報である予測画像データを生成し、最終的に連続した動画像情報の流れを出力する。制御手段（１０）は、上記メモリ手段（１３）及び復号化手段（９）を動作モードに合わせて制御する一方、表示用バッファメモリ（１２）に一定間隔を有する出力タイミング信号を供給する。表示用バッファメモリ（１２）は、出力タイミング信号に基づいて動画像情報を内部に書き込み、その出力タイミング信号に同期した画像情報を出力する。
【００１８】
そして、上記制御手段（１０）は、特殊再生が指定された場合、前記復号化手段（９）に、一のフレームデータを復号化する毎に、メモリ手段（１３）にメモリされたフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータ、すなわち、予測画像データ（過去の画像情報に係るデータ）を生成させる。そして、復号化手段（９）で復号化された該次に出力すべき動画情報のみを表示用バッファメモリ（１２）に供給させるとともに、出力タイミング信号に従ったタイミングで動画像情報が指定された順序で出力され、特殊再生が可能となる。
【００１９】
また、請求項２記載の発明によれば、制御手段（１０）は、特殊再生として逆順再生が指定された場合に、前記復号化手段（９）に、一のフレームデータを復号化する毎に、前記メモリ手段（１３）にメモリされたフレーム群の各フレームデータを、最初のフレームデータから該特殊再生において次に出力すべき一のフレームデータまで、正順に順次読出させるとともに、読み出された各フレームデータに基づいて該次に出力すべき一のフレームデータを復号化させ、現在フレームから時間的に遡る動画像情報に係る予測画像データ（過去の画像情報に係るデータ）を生成させる。そして、現在フレームから順番に直前の復号化されたフレーデータを動画像情報として表示用バッファメモリ（１２）に供給させる。また、出力タイミング信号を一定の間隔で表示用バッファメモリ（１２）に供給するので、結果的に時間的に逆の順序で一連の動画像情報が表示用バッファメモリ（１２）から出力され、一定速度の逆順再生が可能となる。
【００２０】
また、請求項３記載の発明によれば、復号化手段（９）が制御手段（１０）の制御により現在フレームの直前の動画像情報から順番に予測画像データを生成するとき、次に出力すべき動画情報のフレームデータの復号化に用いないフレームデータの復号動作を省略する。そのため、より早い時間で、予測画像データを生成することができる。
【００２１】
【実施例】
本発明の動画像復号化装置に係る好適な実施例を図面を参照して説明する。
図１に実施例の動画像復号化装置のブロック図を示す。図１に示すように、本発明の動画像復号化装置１００は、データ圧縮された情報が記録されているＣＤ１と、ＣＤ１を回転させるスピンドルモータ２と、ＣＤ１の駆動を制御するサーボ制御回路５、システム制御回路６と、ＣＤ１から情報信号を読出しＲＦ信号とするピックアップ３と、読出したＲＦ信号をＥＦＭ復調するＥＦＭ復調回路４と、ＥＦＭ復調回路４からのデータパリティ出力の誤り訂正を行う制御ブロック７と、データ圧縮された状態の画像情報及び音声情報とするＣＤ−ＲＯＭ復調回路８と、データ圧縮された情報をＩフレームから次のＩフレームまで蓄えるメモリ手段たる圧縮メモリ１３と、圧縮メモリ１３より読出した情報をＭＰＥＧ方式により復号する復号化手段たるＭＰＥＧ復号回路９と、表示のための表示用バッファメモリ１２と、アナログの映像信号及び音声信号に変換するＤ／Ａ変換器１１と、全体を管理するマイコン１０と、を備えて構成される。表示用バッファメモリ１２は、ＭＰＥＧ復号回路９内部のメモリで代用できる。つまり、ＭＰＥＧ復号回路としてバッファメモリを有するものを用いれば、表示用バッファメモリと復号化手段とを兼用できる。マイコン１０には、図示しないＲＯＭが接続されており、このＲＯＭには、表示用バッファメモリ１２にＭＰＥＧ復号回路９の生成データを出力すべきタイミング情報が格納されている。
【００２２】
従来の動画像復号化装置とほぼ同じ働きをする構成要素には、同じ部材番号を付してある。
次に、実施例の動作を図２のフローチャートに基づき、図３及び図４を参照しながら説明する。
【００２３】
ＣＤ−ＲＯＭ復調回路より復調された圧縮されたデータは、ＭＰＥＧビットストリームと呼ばれる。これは、そのまま、圧縮メモリ１３に蓄えられていく。この圧縮されたデータは、通常再生ではそのまま順次ＭＰＥＧ復号回路９に供給され、予測画像が生成され、Ｄ／Ａ変換器１１よりアナログ信号として出力される。
【００２４】
さて、使用者等が操作パネル等を操作して、逆順再生等の特殊再生を指示したとする。このとき、システム制御回路６は操作された旨のコマンドをマイコン１０に出力する（図４：スローリバースコマンドオン）。マイコン１０は、現在ＭＰＥＧ復号回路９に出力中のフレームをチェックし、分岐処理実効のために必要なフラグのセットを行う（ステップＳ１）。更に、現在フレームとして、現在出力中のフレームの位置を番号等の設定により把握する（ステップＳ２）。ここでは、図３に示すように、Ｄ０の位置が現在フレームであるとする。
【００２５】
マイコン１０は、入力されたコマンドを調べスローリバースであるか、つまり、逆順再生か否かを判定し（ステップＳ３）、逆順再生ではない場合（ステップＳ３：ＮＯ）、他の制御モード（例えば、高速再生、正順再生等）に移る（ステップＳ１１）。
【００２６】
入力された操作モードが逆順再生である場合（ステップＳ３：ＹＥＳ）、表示が引き続き行われないようにするため、表示用バッファメモリ１２への書き込み動作を禁止する（ステップＳ４）。
【００２７】
このときには、ＭＰＥＧ復号回路９は、圧縮メモリ１３に記憶されているデータ（Ｉピクチャ（Ｄ−１５  ）、Ｐピクチャ（Ｄ−１２  、Ｄ−９、Ｄ−６、Ｄ−３））を用いて、Ｂピクチャを含む一連の予測画像の集合である動画像情報を順次復号化する（ステップＳ５）。つまり、Ｄ−１２  のＰピクチャとＤ−１５  のＩピクチャを用いてＢピクチャたるＤ−１４  、Ｄ−１３  を生成し、次いで、Ｄ−９とＤ−１２  のＰピクチャによりＢピクチャたるＤ−１１  、Ｄ−１０  を生成するという手順を繰り返す。この手順は、正順再生における予測画像データ復元の手順と同様である。
【００２８】
最後に、Ｄ−１を出力し、現在フレームに達したら（ステップＳ６：ＹＥＳ）動作を中止する（ステップＳ７）。これらの復号化の手順の間、表示用バッファメモリ１２が書き込み禁止になっているため、表示系には出力されないで、フレームＤ０のデータが出力されたままとなる。
【００２９】
以後、逆順再生に移る。マイコン１０は、現在フレームＤ０  からＤ−１へと再生する時間（基準時間間隔Ｔｒｅｆ  ）を基準として、以後の逆順再生の表示用バッファメモリ１２への書き込みタイミングをとる（ステップＳ８）。
【００３０】
Ｄ−１がＭＰＥＧ復号回路９より出力されると、マイコン１０は表示用バッファメモリ１２への書き込み禁止をＲＯＭ等の時間間隔情報で規定されるタイミングで解除し、フレームＤ−１が表示出力される（ステップＳ９）。
【００３１】
次のフレームを再生するために、ＭＰＥＧ復号動作を再開する（ステップＳ１０）。この時点で、システムの停止が指令されているか否かを検査し（ステップＳ１２）、まだスローリバース動作を続ける場合（ステップＳ１２：ＮＯ）、判定フラグのセットから再び復号動作を行う（ステップＳ１〜Ｓ８）。次のフレームＤ−２を出力（ステップＳ９）し、以降、システム停止が指令されるまで（ステップＳ１２：ＹＥＳ）は、同じ復号動作を繰り返し、１フレームずつ前のフレームを再生していく。これにより、図３におけるフレームＤ−１のＢピクチャから順番にフレームＤ−１５  のＩピクチャまでが再生される。この場合、ステップＳ６では復号化が終了したフレーム番号に達したか否かが判定される。
【００３２】
上記手順において、Ｄ０  〜Ｄ−１を復元する時間間隔Ｔｒｅｆ  とＤ−２〜Ｄ−３間、Ｄ−３〜Ｄ−４間等では、復号化の手順を終了する所用時間が異なる。例えば、ＢピクチャたるＤ−２からＰピクチャたるＤ−３を復元するに至る時間は、演算量の差から比較的短時間に終了する。しかしながら、マイコン１０が、表示用バッファメモリ１２に書込む時間間隔をＴｒｅｆ  で一定としているため、一定のスピードで逆順再生の映像信号が得られることになる。
【００３３】
図４に示すタイミングチャートは、上記フローチャートに従う動作手順を、ＭＰＥＧ復調回路９の入出力に着目して、概念的に示したものである。すなわち、現在フレームで読出したＤ−３と現在のデータＤ０  とにより１５フレーム目のＢピクチャデータＤ−１が復元され、１３フレーム目のＤ−３とＤ０  とにより１４フレーム目のＢピクチャデータＤ−２が生成されている。
【００３４】
以下、同様な手順で予測画像データの復元が行われる。図３に示してある番号▲１▼〜▲９▼は、このスローリバース再生の順序を示している。
圧縮メモリ１３に格納してある圧縮データでスローリバース再生が終了しない場合（例えば、Ｄ−１５  に至った場合）には、さらにＣＤ１より前回の値を読み取り、圧縮メモリ１３に再度格納し、同様の操作を続ければよい。
【００３５】
使用者の指定により又は情報自体が存在しなくなったことにより、システムの停止が必要な場合（ステップＳ１２：ＹＥＳ）、スローリバース再生を終了する。
【００３６】
上記実施例によれば、圧縮メモリに格納されている過去のデータを有効に用いて、順次遡ってフレームデータを生成して出力するので、表示用バッファメモリを余計に消費することがない。また、多量のメモリの読出しを行う時間を浪費することなく、デジタル圧縮された動画像の逆順再生が行える。
その他の変形例
本発明の上記実施例に限らず種々の変形が可能である。
【００３７】
上記実施例では、フレームＤ−１を再生するのに、Ｄ−１５  、Ｄ−１４  、Ｄ−１３  …と順次復号化してＤ−１を得ていたが、逆順再生のスピードによっては、演算に時間のかかる途中のＢピクチャを復号化せずに、Ｄ−１５  （Ｉピクチャ）、Ｄ−１２  （Ｐピクチャ）、Ｄ−９（Ｐピクチャ）、Ｄ−６（Ｐピクチャ）、Ｄ−３（Ｐピクチャ）と優先的に復元することで、高速にＤ−１を復元できる。この場合でも、Ｄ０  からＤ−１を復元する時間が基準となる。
【００３８】
また、上記実施例では、スローリバース動作における再生スピードを正順再生におけるスピードと同様のものとしていたが、マイコン１０が指定する表示用バッファメモリ書き込みタイミングを長くすることで、更に、スピードの遅い（例えば、通常スピードの１／２倍、１／４倍、１／１６倍等）逆順再生が可能である。また、復号再生スピードに間に合う限り、サーチスピード（例えば、通常スピードの２倍、３倍等）の逆順再生も可能である。
【００３９】
更に、逆順再生以外の特殊再生に対しても、本実施例と同様の構成で簡単に本発明を適用することが可能である。すなわち、圧縮メモリの過去に遡るデジタル画像情報により選択的に必要な予測画像を生成し、表示用バッファメモリに供給する出力タイミング信号を、ＲＯＭ等に格納された時間情報に従って適宜変更していくことで、過去の画像のフレーズ、コマ送り再生、ストロボ再生、繰り返し再生等の特殊再生が可能となる。
【００４０】
更にまた、蓄積装置としては、上記実施例では、ＣＤを想定したが、ＤＡＴ（Ｄｉｇｉｔａｌ  Ａｕｄｉｏ  Ｔａｐｅｒｅｃｏｄｅｒ  ）、ハードディスク等何でもよい。
上記実施例では、圧縮メモリ１３は、ＣＤ−ＲＯＭ復調回路８と、ＭＰＥＧ復号回路９との間に設けたが、制御ブロック７とＣＤ−ＲＯＭ復調回路８との間に設けてもよい。
【００４１】
【発明の効果】
以上の通り、請求項１記載の発明によれば、圧縮された前記デジタル画像情報をフレーム群毎に記憶するメモリ手段を設け、特殊再生が指定された場合に、符号化された一のフレームデータを復号化する毎に、メモリ手段にメモリされたフレーム群の各フレームデータを、最初のフレームデータから該特殊再生において次に出力すべき一のフレームデータまで、正順に順次読出するとともに、読み出された各フレームデータに基づいて該次に出力すべき一のフレームデータを復号化し、復号化された該次に出力すべき動画情報のみを表示用バッファメモリに出力するので、従来のように膨大なメモリを必要としない。
【００４２】
更に、請求項２記載の発明によれば、逆順再生が指定された場合、符号化された一のフレームデータを復号化する毎に、メモリ手段にメモリされたフレーム群の各フレームデータを、最初のフレームデータから該特殊再生において次に出力すべき一のフレームデータまで、正順に順次読出するとともに、読み出された各フレームデータに基づいて該次に出力すべき一のフレームデータを復号化して当該復号化された該次に出力すべき動画情報のみを表示用バッファメモリに出力し、また、表示用バッファメモリに対し一定間隔を有する出力タイミング信号を供給するので、一定速度の逆順再生が可能となる。
【００４３】
更に、請求項３記載の発明によれば、特殊再生において次に出力すべき動画情報のデジタル画像情報の復号化に用いないフレームデータの復号動作を省略するので、高速の特殊再生が可能となる。
【図面の簡単な説明】
【図１】本発明の実施例による動画像復号化装置を示すブロック図である。
【図２】実施例の逆順再生時におけるＭＰＥＧのビットストリームのピクチャ概念図である。
【図３】実施例の動作を説明するフローチャートである。
【図４】実施例の動作を説明するタイミングチャートである。
【図５】従来の動画像復号化装置を示すブロック図である。
【図６】通常の正順再生時におけるＭＰＥＧのビットストリームのピクチャ概念図である。
【符号の説明】
１…ＣＤ
２…スピンドルモータ
３…ピックアップ
４…ＥＦＭ復調回路
５…サーボ制御回路
６…システム制御回路
７…制御ブロック
８…ＣＤ−ＲＯＭ復調回路
９…ＭＰＥＧ復号回路
１０…ＣＤ−ＲＯＭ＆ＭＰＥＧ制御マイコン
１１…Ｄ／Ａ変換器
１２…表示用バッファメモリ
１３…圧縮メモリ
【図１】
0003607315.tif 000002
【図２】
0003607315.tif 000003
【図３】
0003607315.tif 000004
【図４】
0003607315.tif 000005
【図５】
0003607315.tif 000006
【図６】
0003607315.tif 000007